(57)【要約】【課題】３個以上の刃を有する青果物等の皮をむくピーラーを提供する。【解決手段】ピーラー１００は、本体１１０と、３個の刃１２１、１２２等とからなる。本体１１０は、把手として機能する第一領域１１１と、第一領域１１１と連続する第二領域１１２とを有しており、３個の刃１２１、１２２等は、第二領域１１２において、それらの長さ方向が第一領域１１１の長さ方向の軸線と平行になるように本体１１０に取り付けられている。【選択図】図１
2014100601.tif 000002
【特許請求の範囲】
【請求項１】
把手として機能する少なくとも一つの第一領域と、前記第一領域と連続する第二領域とを有する本体と、
前記第二領域において前記本体に取り付けられた少なくとも３個の刃と、
を備えるピーラー。
【請求項２】
前記刃はその長さ方向が前記第一領域の長さ方向の軸線と平行になるように取り付けられていることを特徴とする請求項１に記載のピーラー。
【請求項３】
前記刃はその長さ方向が前記第一領域の長さ方向の軸線と直交するように取り付けられていることを特徴とする請求項１に記載のピーラー。
【請求項４】
前記第二領域はその中心から半径方向の外側に向かって突出する突出部分を備えており、前記刃は前記突出部分の先端に取り付けられていることを特徴とする請求項１乃至３の何れか一項に記載のピーラー。
【請求項５】
前記第一領域は前記第二領域に対して取り外しが可能であることを特徴とする請求項１乃至４の何れか一項に記載のピーラー。
【請求項６】
前記少なくとも３個の刃のうち少なくとも１個の刃は他の刃と種類が異なるものであることを特徴とする請求項１乃至５の何れか一項に記載のピーラー。
【請求項７】
前記少なくとも３個の刃のうち少なくとも１個の刃は他の刃と、対象物の皮を剥くときの皮の厚さが異なるものであることを特徴とする請求項１乃至６の何れか一項に記載のピーラー。
【発明の詳細な説明】
【技術分野】
【０００１】
本発明は、野菜又は果物その他の青果物の皮を剥くピーラー（皮剥き器）に関する。
【背景技術】
【０００２】
ピーラーの一例として、特許文献１及び特許文献２に記載されたものがある。
【０００３】
図１３は、特許文献１に記載されたピーラー１０００の斜視図である。
【０００４】
ピーラー１０００は、ハンドル１０１０と、ハンドル１０１０の先端に形成されているＵ字型の支持部１０２０と、支持部１０２０に支持された刃１０３０と、からなる。
【０００５】
図１４は、特許文献２に記載されたピーラー２０００の斜視図である。
【０００６】
ピーラー２０００は、ハンドル２０１０と、ハンドル２０１０の先端に取り付けられた刃２０２０と、からなる。
【０００７】
図１５は、刃２０２０の拡大斜視図である。
【０００８】
刃２０２０はＶ型の断面を有しており、長さ方向に延びる開口部２０２１が中心線に沿って形成されている。開口部２０２１の両縁に刃面２０２２が形成されている。
【０００９】
図１６は、特許文献２に記載されたピーラー２０００の変形例に係るピーラー３０００に使用される刃３０１０の斜視図であり、図１７は図１６のＡ−Ａ線における断面図である。
【００１０】
ピーラー３０００に使用される刃３０１０は、図１７に示すように、「コ」の字型をなしており、二つの角部に開口３０１１が形成され、これらの開口３０１１に面して、それぞれ刃３０１２が形成されている。
【先行技術文献】
【特許文献】
【００１１】
【特許文献１】特開２０１０−１０４４００号公報
【特許文献２】特開平１１−２６７０１０号公報
【発明の概要】
【発明が解決しようとする課題】
【００１２】
図１３に示すピーラー１０００及び図１４に示す２０００は、何れも１個の刃１０３０、２０２０を有するものとして形成されている。
【００１３】
このため、刃１０３０、２０２０の耐久期間が経過した場合には、ピーラー１０００、２０００を捨てて、新しいものに取り替えることが必要であった。
【００１４】
また、ピーラー１０００、２０００は１個の刃１０３０、２０２０のみを有するものであるため、他の種類の刃を使用する必要がある場合には、その刃を有する他のピーラーを用意しなければならなかった。
【００１５】
さらに、ピーラー１０００、２０００で剥くことができる皮の厚さは一定であるため、ピーラーで剥く皮の厚さを変えたい場合にも、ピーラー１０００、２０００とは別のピーラーを用意しなければならなかった。
【００１６】
図１６に示したピーラー３０００は２個の刃３０１２を有しているが、２個の刃３０１２は同一種類の刃（例えば、平刃）であるため、ピーラー１０００、２０００の場合と同様に、他の種類の刃を使用する必要がある場合には、その刃を有する他のピーラーを用意しなければならなかった。
【００１７】
さらに、図１６に示した刃３０１０においては、形成し得る刃３０１２の最大数は２であり、３個以上の刃を形成することは構造的に不可能である。
【００１８】
本発明はこのような従来のピーラーにおける問題点に鑑みてなされたものであり、３個以上の刃を有するピーラーを提供することを目的とする。
【課題を解決するための手段】
【００１９】
上記の目的を達成するため、本発明は、把手として機能する少なくとも一つの第一領域と、前記第一領域と連続する第二領域とを有する本体と、前記第二領域において前記本体に取り付けられた少なくとも３個の刃と、を備えるピーラーを提供する。
【００２０】
本発明に係るピーラーにおいては、前記刃はその長さ方向が前記第一領域の長さ方向の軸線と平行になるように取り付けられていることが好ましい。
【００２１】
本発明に係るピーラーにおいては、前記刃はその長さ方向が前記第一領域の長さ方向の軸線と直交するように取り付けられていることが好ましい。
【００２２】
本発明に係るピーラーは、前記第二領域はその中心から半径方向の外側に向かって突出する突出部分を備えることができ、この場合、前記刃は前記突出部分の先端に取り付けられる。
【００２３】
本発明に係るピーラーにおいては、前記第一領域は前記第二領域に対して取り外しが可能であることが好ましい。
【００２４】
本発明に係るピーラーにおいては、前記少なくとも３個の刃のうち少なくとも１個の刃は他の刃と種類が異なるものであることが好ましい。
【００２５】
本発明に係るピーラーにおいては、前記少なくとも３個の刃のうち少なくとも１個の刃は他の刃と、対象物の皮を剥くときの皮の厚さが異なるものであることが好ましい。
【発明の効果】
【００２６】
本発明に係るピーラーによれば、３個以上の刃のうち所望の刃を使用することができる。このため、１個の刃しか有しない従来のピーラー１０００、２０００と比較して、３倍（もしくは３倍以上）の耐久期間を有することができ、仮に、３個以上の刃のうちの何れか１個の刃が破損した場合であっても、残りの刃を使用し続けることが可能である。
【００２７】
また、突出部分を設けることにより、３個以上の各刃間の距離をより長くすることができるので、例えば、ある一つの刃で対象物の皮を剥くときに、他の刃を気にすることなく、皮を剥くことができる。
【００２８】
把手としての第一領域を第二領域に対して取り外しが可能であるように構成することにより、ピーラーの使用者は所望の把手を選択することができ、種々の形状の把手を使用することが可能になる。
【００２９】
また、３個以上の刃のうち少なくとも１個の刃を他の刃と種類が異なるものにすることにより、最大で３種類の異なる種類の刃を取り付けることができるため、皮の剥き方に応じた刃を選択することが可能になる。
【００３０】
さらに、本発明に係るピーラーにおいては、３個以上の刃における各開口部のサイズを相互に異なるようにすることができるため、対象物の皮を剥くときの皮の厚さとして最大で３種類の皮の厚さを選択することが可能である。
【００３１】
以下、本発明の様々な具体化を、添付図面を基に、その効果・利点と共に、詳述する。
【図面の簡単な説明】
【００３２】
【図１】本発明の第一の実施の形態に係るピーラーの平面図である。
【図２】図１のＡ−Ａ線における断面図である。
【図３】本発明の第一の実施の形態の変形例に係るピーラーの平面図である。
【図４】本発明の第二の実施の形態に係るピーラーの平面図である。
【図５】図４のＢ−Ｂ線における断面図である。
【図６】本発明の第三の実施の形態に係るピーラーの平面図である。
【図７】本発明の第三の実施の形態に係るピーラーにおける第一領域の第一の変形例を示す平面図である。
【図８】本発明の第三の実施の形態に係るピーラーにおける第一領域の第二の変形例を示す平面図である。
【図９】本発明の第三の実施の形態に係るピーラーにおける第一領域の第三の変形例を示す平面図である。
【図１０】本発明の第三の実施の形態の変形例に係るピーラーの平面図である。
【図１１】本発明の第四の実施の形態に係るピーラーの斜視図である。
【図１２】図１１のＣ方向から見た場合の本発明の第四の実施の形態に係るピーラーの側面図である。
【図１３】第一の従来のピーラーの斜視図である。
【図１４】第二の従来のピーラーの斜視図である。
【図１５】第二の従来のピーラーにおける刃の拡大斜視図である。
【図１６】第三の従来のピーラーの斜視図である。
【図１７】図１６のＡ−Ａ線における断面図である。
【発明を実施するための形態】
【００３３】
（第一の実施の形態）
【００３４】
図１は、本発明の第一の実施の形態に係るピーラー１００の平面図、図２は図１のＡ−Ａ線における断面図である。
【００３５】
本実施の形態に係るピーラー１００は、本体１１０と、本体１１０に取り付けられた３個の刃１２１、１２２、１２３と、からなる。
【００３６】
本体１１０は直線状の棒状体である。本体１１０は、第一領域１１１（破線１０１の右側の領域）と、第一領域１１１と連続する第二領域１１２（破線１０１の左側の領域）とを有している。
【００３７】
本体１１０の第一領域１１１はピーラー１００の把手として機能する。
【００３８】
３個の刃１２１、１２２、１２３は第二領域１１２において本体１１０に取り付けられている。
【００３９】
３個の刃１３１、１３２、１３３の各々は、図１に示すように、それらの長さ方向が本体１１０の軸線と平行になるように本体１１０にそれぞれ取り付けられている。
【００４０】
３個の刃１２１、１２２、１２３のうち少なくとも１個の刃は他の刃と種類が異なるように設定されている。例えば、刃１２１は鋸歯、刃１２２、１２３は平刃である。
【００４１】
さらに、３個の刃１２１、１２２、１２３のうち少なくとも１個の刃は他の刃と対象物の皮を剥くときの皮の厚さが異なるように設定されている。例えば、刃１２１に隣接して形成される開口部（例えば、図１６において、刃３０１２に隣接して形成されている開口３０１１に対応するもの）のサイズは他の二つの刃１２２、１２３に隣接して形成される開口部のサイズよりも大きく（あるいは、小さく）形成されている。このため、刃１２１を用いて対象物の皮を剥く場合には、他の二つの刃１２２、１２３を用いる場合と比較して、対象物の皮をより厚く剥くことができる。
【００４２】
以上のような構造を有する本実施の形態に係るピーラー１００は、以下のようにして使用される。
【００４３】
ピーラー１００の使用者は、把手としての第一領域１１１を持って、例えば、皮剥きの対象物（例えば、大根などの根菜）の表面に刃１２１を当て、上から下に向かう方向Ｘにピーラー１００を移動させることにより、対象物の皮を剥くことができる。
【００４４】
違う種類の刃で皮を剥く場合には、例えば、刃１２１（鋸歯）の代わりに刃１２２（平刃）を対象物の表面に当て、上から下への方向Ｘにピーラー１００を移動させる。
【００４５】
また、剥く皮の厚さを変えたい場合には、例えば、刃１２１（開口部のサイズが大きい）の代わりに刃１２２（開口部のサイズが小さい）を対象物の表面に当て、上から下への方向Ｘにピーラー１００を移動させる。
【００４６】
以上のように、本実施の形態に係るピーラー１００によれば、３個の刃１２１、１２２、１２３のうち所望の刃を使用することができる。このため、１個の刃しか有しない従来のピーラー１０００、２０００と比較して、３倍の耐久期間を有することができ、仮に、３個の刃１２１、１２２、１２３のうちの何れか１個の刃が破損した場合であっても、残りの２個の刃を使用し続けることが可能である。
【００４７】
また、本実施の形態に係るピーラー１００においては、最大で３種類の異なる種類の刃を取り付けることができるため、皮の剥き方に応じた刃を選択することが可能である。
【００４８】
さらに、本実施の形態に係るピーラー１００においては、３個の刃における各開口部のサイズを相互に異なるようにすることができるため、対象物の皮を剥くときの皮の厚さとして最大で３種類の皮の厚さを選択することが可能である。
【００４９】
本実施の形態に係るピーラー１００の構造は、上記の構造に限定されるものではなく、種々の改変が可能である。
【００５０】
例えば、本実施の形態に係るピーラー１００は３個の刃１２１、１２２、１２３を有するものとして形成されているが、刃の数は３には限定されない。４個以上の任意の数の刃を有するものとして形成することが可能である。
【００５１】
本実施の形態に係るピーラー１００における本体１１０は、把手として機能する第一領域１１１を一つ備えているが、二つの第一領域１１１を備えることも可能である。
【００５２】
図３は、本体１１０が二つの第一領域１１１を有する場合のピーラー１００の平面図である。
【００５３】
図３に示すように、本体１１０は第二領域１１２の左右にそれぞれ第一領域１１１を備えている。
【００５４】
このように二つの第一領域１１１を設けることにより、ピーラー１００の使用者は両手で対象物の皮剥きを行うことが可能になる。あるいは、二人が二つの第一領域１１１の各々を持って対象物の皮を剥くことも可能になる。
【００５５】
（第二の実施の形態）
図４は本発明の第二の実施の形態に係るピーラー２００の平面図、図５は図４のＢ−Ｂ線における断面図である。
【００５６】
本実施の形態に係るピーラー２００は、第一の実施の形態に係るピーラー１００と比較して、本体１１０の第二領域の形状が異なっている。この点を除いて、本実施の形態に係るピーラー２００は第一の実施の形態に係るピーラー１００と同一の形状を有している。
【００５７】
本実施の形態における本体１１０の第二領域２１０は、図５に示すように、本体１１０（または第一領域１１１）の軸線１０２から半径方向の外側に向かって等円周角の間隔で突出する３個の突出部分２１１Ａ、２１１Ｂ、２１１Ｃを備えている。各突出部分２１１Ａ、２１１Ｂ、２１１Ｃは逆Ｕ字型に近い形状をなしている。
【００５８】
３個の刃１２１、１２２、１２３は、３個の突出部分２１１Ａ、２１１Ｂ、２１１Ｃの各々の頂点に取り付けられている。
【００５９】
このように、本実施の形態に係るピーラー２００によれば、第一の実施の形態に係るピーラー１００と比較して、３個の刃１２１、１２２、１２３間の距離をより長くすることができるので、例えば、刃１２１で対象物の皮を剥くときに、他の刃１２２、１２３を気にすることなく、皮を剥くことができる。
【００６０】
（第三の実施の形態）
図６は、本考案の第三の実施の形態に係るピーラー３００の平面図である。
【００６１】
本実施の形態に係るピーラー３００においては、本体１１０の第一領域１１１と第二領域１１２とは一体ではなく、別体のものとして形成されており、第一領域１１１と第二領域１１２とはキャップ部材３１０を介して相互に連結されている。
【００６２】
第一領域１１１及び第二領域１１２は、キャップ部材３１０に取り外し自在に嵌め込まれている。
【００６３】
例えば、キャップ部材３１０には両側面に凹部（図示せず）が形成されており、第一領域１１１及び第二領域１１２をその凹部に差し込むことにより、キャップ部材３１０に対して取り外し自在に取り付けられる。
【００６４】
あるいは、キャップ部材３１０の凹部の内壁に雌ネジを切り、さらに、第一領域１１１及び第二領域１１２の各々の先端に雄ネジを形成することにより、第一領域１１１及び第二領域１１２をキャップ部材３１０の凹部に螺合させることができる。
【００６５】
このように、本実施の形態に係るピーラー３００においては、把手として機能する第一領域１１１は取り外し可能であるため、把手としての第一領域１１１を他の把手に交換することが可能である。すなわち、本実施の形態に係るピーラー３００においては、把手としての第一領域１１１は直線状の棒状体をなしているが、第一領域１１１を他の形状のものに交換することも可能である。
【００６６】
図７は、第一領域１１１の第一の変形例を示す平面図である。
【００６７】
図７に示すように、第一領域１１１を、直線部分１１１Ａと、この直線部分１１１Ａに対して傾斜する傾斜部分１１１Ｂとから構成することも可能である。
【００６８】
図８は、第一領域１１１の第二の変形例を示す平面図である。
【００６９】
図８に示すように、第一領域１１１を円弧状とすることも可能である。
【００７０】
図９は、第一領域１１１の第三の変形例を示す平面図である。
【００７１】
図９に示すように、第一領域１１１をＴ字型に形成することも可能である。
【００７２】
以上のように、ピーラー３００の使用者は、自分が持ちやすい形状の把手を選択することが可能である。
【００７３】
本実施の形態に係るピーラー３００においては、第一領域１１１及び第二領域１１２は何れもキャップ部材３１０に対して取り外し自在であるように構成されているが、第一領域１１１のみをキャップ部材３１０に対して取り外し自在に構成し、第二領域１１２はキャップ部材３１０に対して固定しておくことも可能である。
【００７４】
図１０は、本実施の形態に係るピーラー３００の変形例の平面図である。
【００７５】
図１０に示すように、キャップ部材３１０と同一構造のキャップ部材３１１を介して、第二領域１１２にもう一つの第一領域１１１Ａを連結させることも可能である。
【００７６】
図１０に示したピーラー３００の変形例は、図３に示したピーラー１００（本体１１０が二つの第一領域１１１を有する）に対応するものである。
【００７７】
（第四の実施の形態）
図１１は、本発明の第四の実施の形態に係るピーラー４００の斜視図であり、図１２は図１１のＣ方向から見た場合のピーラー４００の側面図である。
【００７８】
本実施の形態に係るピーラー４００は、本体４１０と、本体４１０に取り付けられた３個の刃１２１、１２２、１２３と、からなる。
【００７９】
本体４１０は直線状の棒状体である。本体４１０は、第一領域４１１（破線４０１の上側の領域）と、第一領域４１１と連続する第二領域４１２（破線４０１の下側の領域）とを有している。
【００８０】
本体４１０の第一領域４１１はピーラー４００の把手として機能する。
【００８１】
第二領域４１２には、本体４１０の下端から３方向に突出する３個の突出部分４２１、４２２、４２３が形成されており、３個の刃１２１、１２２、１２３は３個の突出部分４２１、４２２、４２３の各々の先端に取り付けられている。
【００８２】
３個の刃１２１、１２２、１２３の各々は、図１１に示すように、それらの長さ方向が本体４１０の軸線と直交するように本体４１０に取り付けられている。
【００８３】
ピーラー４００の使用者は把手としての第一領域４１１を持って、本体４１０の軸線方向に沿ってピーラー４００を上下させることにより、対象物の皮を剥くことができる。
【００８４】
本実施の形態に係るピーラー４００においても、図３に示したピーラー１００または図１０に示したピーラー３００と同様に、二つの第一領域４１１を設けることが可能である。
【００８５】
また、図６に示したピーラー３００のように、第一領域４１１と第二領域４１２とをキャップ部材３１０を介して連結するようにすることも可能である。
【００８６】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【符号の説明】
【００８７】
１００ 本発明の第一の実施の形態に係るピーラー
１１０ 本体
１１１ 第一領域
１１２ 第二領域
１２１、１２２、１２３ 刃
２００ 本発明の第二の実施の形態に係るピーラー
２１０ 第二領域
２１１Ａ、２１１Ｂ、２１１Ｃ 突出部分
３００ 本発明の第三の実施の形態に係るピーラー
３１０ キャップ部材
４００ 本発明の第四の実施の形態に係るピーラー
４１０ 本体
４１１ 第一領域
４１２ 第二領域
４２１、４２２、４２３ 突出部分
【図１】
2014100601.tif 000003
【図２】
2014100601.tif 000004
【図３】
2014100601.tif 000005
【図４】
2014100601.tif 000006
【図５】
2014100601.tif 000007
【図６】
2014100601.tif 000008
【図７】
2014100601.tif 000009
【図８】
2014100601.tif 000010
【図９】
2014100601.tif 000011
【図１０】
2014100601.tif 000012
【図１１】
2014100601.tif 000013
【図１２】
2014100601.tif 000014
【図１３】
2014100601.tif 000015
【図１４】
2014100601.tif 000016
【図１５】
2014100601.tif 000017
【図１６】
2014100601.tif 000018
【図１７】
2014100601.tif 000019